(57)【特許請求の範囲】
【請求項１】
ブーツ内に挿入されて、ブーツの形状を保持するための表面を有する本体部と、
前記本体部に着脱可能に設けられて、前記本体部を支持するための複数の支持脚と、を備え、
前記本体部は、中空部を有し、
前記中空部は、前記複数の支持脚の全てを収納可能な大きさに形成されていることを特徴とする、ブーツ用保持具。
【請求項２】
前記本体部と前記支持脚との間には、前記本体部に前記支持脚を着脱可能に取り付けるための取付手段が設けられていることを特徴とする、請求項１に記載のブーツ用保持具。
【請求項３】
前記取付手段は、互いに嵌合する凹部と凸部を備えていることを特徴とする、請求項２に記載のブーツ用保持具。
【請求項４】
前記本体部の少なくとも下部が筒状部に形成され、その筒状部の周壁が前記凸部を構成していることを特徴とする、請求項３に記載のブーツ用保持具。
【請求項５】
前記支持脚は、棒状に形成され、
前記支持脚の一端には、前記凹部が形成されており、
前記凹部は、前記支持脚の軸方向から径方向の外側に向けて角度を有して設けられていることを特徴とする、請求項４に記載のブーツ用保持具。
【請求項６】
前記取付手段は、前記本体部と前記支持脚とを着脱可能に結合するネジ結合手段を含むことを特徴とする、請求項２に記載のブーツ用保持具。
【請求項７】
前記ネジ結合手段は、前記本体部と前記支持脚の何れか一方に設けられたネジ孔と、他方に設けられたネジ棒と、を備えていることを特徴とする、請求項６に記載のブーツ用保持具。
【請求項８】
ブーツ内に挿入されて、ブーツの形状を保持するための表面を有する本体部と、
前記本体部に出没可能に設けられて、前記本体部を支持するための複数の支持脚と、を備え、
前記本体部は、中空部を有し、
前記中空部は、前記複数の支持脚の全てを収納可能な大きさに形成されていることを特徴とする、ブーツ用保持具。
【請求項９】
前記本体部と前記支持脚との間に位置決め手段が設けられ、
前記位置決め手段は、前記支持脚が前記本体部内に収納される収納位置と、前記支持脚で本体部を支持する突出位置とに、位置決め可能に構成されていることを特徴とする、請求項８に記載のブーツ用保持具。
【請求項１０】
前記支持脚の位置決め手段は、前記支持脚の回動機構又は摺動機構の少なくとも一方を含むことを特徴とする、請求項９に記載のブーツ用保持具。
【請求項１１】
前記本体部には、本体部の長さを調節する長さ調節手段が設けられていることを特徴とする、請求項１〜１０の何れかに記載のブーツ用保持具。
【請求項１２】
前記長さ調節手段は、外筒とその外筒内に挿入された内筒とを備え、
前記内筒は、前記外筒の軸方向に摺動可能に構成されていることを特徴とする、請求項１１に記載のブーツ用保持具。
【請求項１３】
前記内筒内に、第２の内筒がその軸方向に摺動可能に挿入されていることを特徴とする、請求項１２に記載のブーツ用保持具。
【請求項１４】
請求項１〜４の何れかに記載のブーツ保持具の支持脚であって、
前記支持脚には、前記本体部の周壁に嵌り込む凹部が設けられていることを特徴とする、支持脚。
【発明の詳細な説明】
【技術分野】
【０００１】
本発明は、ブーツの形状を保持しながら、収納及び保管しておくためのブーツ用保持具に関する。
【背景技術】
【０００２】
お気に入りのブーツを長く愛用するためには、オンシーズンでの簡易的な収納時に発生しやすいシワの防止や菌の繁殖による防臭が欠かせない。簡易的な収納時のシワの防止や防臭に対する対策として、一般的には、ブーツキーパーをブーツの胴筒部内に挿入して、ブーツの形状を保持することにより型崩れを防ぐことや、除菌剤や乾燥剤をブーツの胴筒部内に配置して、湿気を除去することが行われている。
一方、オフシーズンには、ブーツをクローゼット等へ収納する必要があるが、ブーツの形状を維持した状態で収納スペース内に保管するには、ブーツを立てた状態で収納することが望まれる。しかしながら、一般的な家庭では、ブーツの形状を保持しながら収納するだけの広い収納スペースが確保できないという問題がある。
【０００３】
このような中で、本出願人は、ブーツを立てた状態でも収納スペースを節約することが可能なブーツ収納具を開発した。特許文献１には、「ブーツの靴先側が装着される装着領域を有する刺股状のブーツ靴先装着部と、このブーツ靴先装着部に対して前記装着領域とは反対側に突出する状態に連設したブーツ内挿入筒部と、を有することを特徴とするブーツ収納具。」の技術が記載されている。
このような構成のブーツ収納具を使用することにより、半足分のスペースでブーツ１足を収納することが可能となっている。
【先行技術文献】
【特許文献】
【０００４】
【特許文献１】特開２００８−２５３４６２号公報
【発明の概要】
【発明が解決しようとする課題】
【０００５】
特許文献１に記載のブーツ収納具は、ブーツの収納スペースを節約することができるという利点がある。しかしながら、クローゼット等の収納スペースの棚には、ブーツを立てるだけの高さがない場合も多く、未だ収納性に欠けるという問題があった。
【０００６】
また、特許文献１に記載のブーツ収納具は、一方のブーツはかかとを下にし、一方のブーツはかかとを上にするため、ブーツの材質や形状によっては、片方だけブーツ本体の自重によって胴筒部等が垂れ下がり、シワが生じてしまう場合や型崩れを起こしてしまう場合もありうる。
【０００７】
一方、靴の収納方法としては、購入時の箱やブーツ用の箱に収納する方法がある（図１４参照）。
【０００８】
ところで、ブーツのような季節物は、春先の季節の変わり目の気候変動に伴って、徐々に使用する頻度が少なくなり、暖かい日が続くようになった時点で、気が付くと履かない状態になっている、というのが通常である。そのため、季節の変わり目には、簡単に取り出せて見えるところに簡易的に保管しておいて、もう履かないだろうと確信をもったところで、長期の収納状態へ簡単に移行できるというのが好ましい。そして、長期の収納においては、湿気によるカビ等を防ぎながら、シワや型崩れが起きることを抑制する必要がある。
【０００９】
本発明は、上記実情に鑑みてなされた発明であり、シワや型崩れを抑制しながら、容易にブーツを乾燥させることができ、さらに、その形状を保持したまま簡単に箱等に収納することができるブーツ用保持具を提供することを課題する。
【課題を解決するための手段】
【００１０】
上記課題を解決するため、本発明に係るブーツ用保持具は、ブーツ内に挿入されて、ブーツの形状を保持するための表面を有する本体部と、
前記本体部に着脱可能に設けられて、前記本体部を支持するための複数の支持脚と、
を備え、
前記本体部は、中空部を有し、
前記中空部は、前記複数の支持脚の全てを収納可能な大きさに形成されていることを特徴とする、ブーツ用保持具。
【００１１】
このように、支持脚を設けることで、倒立状態でブーツを保持することができるため、シワや型崩れを抑制しながら、容易にブーツを乾燥させることができる。また、この支持脚を着脱可能に設けることで、ブーツを箱等に収納する際には支持脚を取り外し、乾燥させたブーツの形状を保持した状態のまま箱等に収納することができる。
【００１２】
本発明の好ましい形態では、前記本体部と前記支持脚との間には、前記本体部に前記支持脚を着脱可能に取り付けるための取付手段が設けられていることを特徴とする。
このように、本体部と支持脚との間に取付手段が設けられていることで、支持脚の着脱を容易に行うことができる。
【００１３】
本発明の好ましい形態では、前記取付手段は、互いに嵌合する凹部と凸部を備えていることを特徴とする。
このような構成とすることにより、取付手段の構造をより簡素化して製造性の向上並びに低コスト化を図ることができる。
【００１４】
本発明の好ましい形態では、前記本体部の少なくとも下部が筒状部に形成され、その筒状部の周壁が前記凸部を構成していることを特徴とする。
このような構成とすることにより、使用部材の削減と組立作業の簡便化を図ることができる。
【００１５】
本発明の好ましい形態では、前記取付手段は、前記本体部と前記支持脚とを着脱可能に結合するネジ結合手段を含むことを特徴とする。
このように、取付手段をネジ結合手段とすることにより、本体部に支持脚を強固に取付けることができ、より安定にブーツを倒立状態に保持することができる。
【００１６】
本発明の好ましい形態では、前記ネジ結合手段は、前記本体部と前記支持脚の何れか一方に設けられたネジ孔と、他方に設けられたネジ棒と、を備えていることを特徴とする。
このように、部材自体にネジ結合手段を組み込むことで、使用部材の削減と組立作業の簡便化を図ることができる。
【００１８】
本発明の好ましい形態では、ブーツ内に挿入されて、ブーツの形状を保持するための表面を有する本体部と、前記本体部に対して出没可能に設けられて、その本体部を支持するための複数の支持脚と、を備え、前記本体部は、中空部を有し、前記中空部は、前記複数の支持脚の全てを収納可能な大きさに形成されていることを特徴とする。
このように、支持脚を本体部に対して出没可能に設けることにより、支持脚を取り外す必要がなくなり、支持脚を紛失してしまうことを防ぐことができる。
【００１９】
本発明の好ましい形態では、前記本体部と前記支持脚との間に位置決め手段が設けられ、前記位置決め手段は、前記支持脚が前記本体部内に収納される収納位置と、前記支持脚で本体部を支持する突出位置とに、位置決め可能に構成されていることを特徴とする。
このように、位置決め手段を設けて、支持部の収納位置と突出位置とを位置決めすることにより、支持部が容易に移動してしまうことを防ぐことができる。
【００２０】
本発明の好ましい形態では、前記支持脚の位置決め手段は、前記支持脚の回動機構又は摺動機構の少なくとも一方を含むことを特徴とする。
このような構成とすることにより、本体部を支持するための複数の支持脚を容易に出没させることができる。
【００２１】
本発明の好ましい形態では、前記本体部には、本体部の長さを調節する長さ調節手段が設けられていることを特徴とする。
このように、本体部に長さ調節手段が設けられていることにより、様々な長さのブーツに対応することができ、収納時や持ち運び時には小型化することができる。
【００２２】
本発明の好ましい形態では、前記長さ調節手段は、外筒とその外筒内に挿入された内筒とを備え、前記内筒は、前記外筒の軸方向に摺動可能に構成されていることを特徴とする。
このように、長さ調節手段は外筒と内筒により構成されていることで、長さ調節手段を簡便かつ低コストに形成することができる。
【００２３】
本発明の好ましい形態では、前記内筒内に、第２の内筒がその軸方向に摺動可能に挿入されていることを特徴とする。
このように、さらに第２の内筒を備えることにより、より様々な長さのブーツ丈に対応することができる。
【００２４】
また、本発明は、前記のブーツ保持具の支持脚であって、前記支持脚には、前記本体部の周壁に嵌り込む凹部が設けられていることを特徴とする。
このような支持脚は、本体部に取り付けて使用することにより、ブーツ保持具を構成するのに有用である。
【発明の効果】
【００２５】
本発明は、シワや型崩れを抑制しながら、容易にブーツを乾燥させることができ、その形状を保持したまま箱等に収納することができるブーツ用保持具を提供することができる。
このブーツ用保持具をブーツに適用することにより、オンシーズンにおける簡易的な収納からオフシーズンにおける長期的な収納に簡単に移行でき、長期的な収納時期にブーツ形状にシワ・型崩れが発生することを抑制し、同時にカビが発生するのを抑制することができる。
【図面の簡単な説明】
【００２６】
【図１】本発明の実施形態１に係るブーツ用保持具の使用状態を示した斜視図である。
【図２】本発明の実施形態１に係るブーツ用保持具の斜視図である。
【図３】本発明の実施形態１に係るブーツ用保持具の支持脚を示し、（ａ）は斜視図、（ｂ）は、図３（ａ）のＡ−Ａ線断面図である。
【図４】本発明の実施形態１に係るブーツ用保持具の分解斜視図である。
【図５】本発明の実施形態２に係るブーツ用保持具を示し、（ａ）は分解斜視図、（ｂ）は取付時の斜視図である。
【図６】本発明の実施形態３に係るブーツ用保持具を示し、（ａ）は分解斜視図、（ｂ）は取付時の斜視図である。
【図７】本発明の実施形態４に係るブーツ用保持具を示し、（ａ）は分解斜視図、（ｂ）は取付時の斜視図である。
【図８】本発明の実施形態５に係るブーツ用保持具を示し、（ａ）は分解斜視図、（ｂ）は取付時の斜視図である。
【図９】本発明の実施形態６に係るブーツ用保持具を示し、（ａ）は分解斜視図、（ｂ）は取付時の斜視図である。
【図１０】本発明の実施形態７に係るブーツ用保持具を示し、（ａ）は分解斜視図、（ｂ）は取付時の斜視図である。
【図１１】本発明の実施形態８に係るブーツ用保持具を示し、（ａ）は支持脚が突出位置に位置決めされた状態の斜視図、（ｂ）は図１１（ａ）のＢ−Ｂ線断面図である。
【図１２】本発明の実施形態９に係るブーツ用保持具の斜視図である。
【図１３】本発明の実施形態１０に係るブーツ用保持具を示し、（ａ）は本体部を伸ばした時の斜視図、（ｂ）は本体部を縮めた時の斜視図である。
【図１４】本発明に係る収納具の収納時の使用状態を示した図である。
【発明を実施するための形態】
【００２７】
以下、本発明を図面に示した好ましい実施形態１〜１０に基づいて詳細に説明する。通常、ブーツＢは左右一対で使用されるため、本発明に係るブーツ用保持具１０の使用時にはそれぞれのブーツＢに対して着用する。そのため、ブーツ用保持具１０は２つ１組で使用されるが、各ブーツ用保持具１０は同一構造をしているため、ブーツ用保持具１０の構造を説明する際には、一方のブーツ用保持具１０の構造についてのみ説明する。また、本発明の技術的範囲は、添付図面に示された実施の形態に限定されるものではなく、特許請求の範囲に記載された範囲において適宜変更が可能である。
【００２８】
＜実施形態１＞
図１は、本発明の実施形態１に係るブーツ用保持具１０をブーツＢに装着した状態を示している。このブーツ用保持具１０には、倒立させた状態のブーツＢの重心を支える支持部１２が設けられており、ブーツＢの倒立状態を保持するよう構成されている。図１に示したブーツＢは、ふくらはぎ部分まで覆うロングブーツを示しているが、本発明においてはこれに限定されず、ハーフブーツ、ショートブーツをも含むものである。
【００２９】
図２は、ブーツ用保持具１０を示す図であり、ブーツＢの形状を保持するための表面１１ａを有する本体部１１と、本体部１１を浮かして支持するための支持部１２と、を備え、この本体部１１と支持部１２との間には、本体部１１に支持部１２を着脱可能に取り付けるための取付手段２０が設けられている。
【００３０】
本体部１１は、図２に示されているように、中空部１１ｃを有する筒形状に形成されており、この筒形状の表面１１ａは、ブーツＢの胴筒部内に挿入された際に、ブーツＢの胴筒部の内側から胴筒部の形状に沿って密着することでブーツＢの形状を保持する。
そのため、本体部１１は、ブーツＢの胴筒部の形状を保持するような弾性力を有する材料で製作されていることが望ましい。この材料としては、ポリエチレン材などのプラスチック材や、板紙等が好ましく用いられる。
【００３１】
なお、図２に示した本体部１１は、中空部１１ｃを有する筒形状に形成されているが、本発明においては、これに限定されることはなく、特許請求の範囲に記載された範囲内において適宜変更が可能である。例えば、多角形状に形成されたものや、天面や底面の少なくとも一方を有した筒形状のもの、中空部１１ｃを設けていない円柱状のもの等、も当然に本体部１１の形状とすることができる。
【００３２】
また、本体部１１の下端には、前記支持部１２の一部と嵌合する筒状部（凸部）１１ｂが設けられている。この筒状部１１ｂは、１〜５ｍｍ程度の厚みの周壁で形成されており、支持部１２を接続して倒立させた際に容易に変形してしまわない強度を有している。
さらに、上述の通り、本体部１１の表面１１ａはブーツＢの胴筒部内の形状に沿って密着することが望ましい。そのため、本体部１１には、様々な形状のブーツに対応できるよう、ブーツＢの筒周りに合わせて本体部１１の筒幅（内径）を調節できるような筒幅調節手段や、ブーツＢの筒丈に合わせて本体部１１の長さを調節できるような長さ調節手段を設けても良い。
【００３３】
支持部１２は、図２に示すように、棒状に形成された四本の支持脚１２ｆを備えている。各支持脚１２ｆの材料としてはプラスチックや木等の軽量で適度な強度を有する材料が好ましく用いられる。また、図３に示すように、各支持脚１２ｆの上端にはコの字型のスリット（凹部）１２ａが設けられており、該スリット１２ａが本体部１１の筒状部１１ｂと嵌合される。このスリット１２ａは、前記筒状部１１ｂの厚みに対応するスリット幅を有しており、筒状部１１ｂを挟持することで容易に嵌合が解かれないよう固定される。このスリット１２ａが設けられる方向は、図３の（ｂ）に示すように、支持脚１２ｆの軸方向から径方向の外側に向けて角度を有している。そのため、スリット１２ａを筒状部１１ｂに嵌め込んだ際には、図１及び図２示すように、支持脚１２ｆが本体部１１の軸方向から径方向の外側に向けて傾斜した方向に突出し、放射状に広がるように取り付けられる。
【００３４】
また、この支持脚１２ｆは、図には示していないが、短い棒状に形成された複数の単位脚部材を支持脚軸方向に連結させるようにして構成しても良い。この単位脚部材は、例えば、上部に凹部が、下部に凸部が設けられており、この凹部と凸部を凹凸嵌合させることで、単位脚部材同士を連結される。この時、単位脚部材の上部に設けられた凹部は、本体部１１の筒状部１１ｂにも嵌合するよう設けることが望ましい。
なお、単位脚部材同士の連結方法としては、上記の凹凸嵌合のみに限られず、ネジ棒とネジ孔を設けることによって螺合させたり、２つの単位脚部材間に慣用の連結部材等を設けて連結するようにしてもよい。
【００３５】
図４は、取付手段２０を示しており、本体部１１の筒状部１１ｂに支持脚１２ｆのスリット１２ａが嵌り込む様子を示している。なお、このスリット１２ａに筒状部１１ｂを差し込む深さを調節することで、本体部１１の高さを調節することができる。即ち、スリット１２ａの途中まで差し込んだ筒状部１１ｂを挟持して固定する場合には、スリット１２ａを根本まで筒状部１１ｂを差し込んだ場合に比べて、本体部１１を高い位置に保持させることができる。
また、図４では、四本の支持脚１２ｆが図示されているが、三本以上であればよく、ブーツの重さや形状等によって任意の本数を本体部１１に取付けることができる。
【００３６】
また、本体部１１から取り外した支持部１２を、本体部１１の内部に収納するようにしても良い。取り外した支持部１２を別の場所に保管する場合には、紛失してしまう恐れがあるし、余分な収納スペースをとってしまう。そのため、本体部内に形成された中空部１１ｃに、取り外した支持部１２を収納するようにしても良い。さらに、図示はしていないが、本体部１１の内部には、乾燥剤や消臭剤を入れるような収納箇所を形成しても良い。
【００３７】
本発明によれば、支持脚１２ｆを本体部１１の軸方向から径方向の外側に向けて傾斜した方向に突出させて設けたことによって、ブーツＢを倒立状態に保持することができる。そのため、ブーツＢの胴筒部等が該ブーツＢの自重によって変形することにより発生するシワや型崩れを抑制して、ブーツＢの好ましい形状を保ちながら乾燥させることができる。
【００３８】
また、本実施形態によれば、支持部１２が着脱可能に設けられていることにより、支持部１２を取り外すだけで、そのままブーツＢを収納箱３０に収納することができる（図１４参照）。そのため、ブーツＢの乾燥が終了した際には、乾燥時の形状を保持した状態で収納箱３０等に収納することができ、オフシーズン中にシワや型崩れが発生を抑制して保管することができる。
【００３９】
また、本実施形態によれば、部材自体に取付手段２０を組み込むことで、使用部材の削減と低コスト化を図ることができる。本実施形態の取付手段２０は、本体部１１に筒状部（凸部）１１ａを、支持部１２にスリット（凹部）１２ａを設けるだけでよく、その他の部材を用いる必要がない。また、取付作業も嵌め込むだけの簡便なものであるため、容易に取り外しを行うことができる。さらに、本体部１１及び支持部１２の構造をより簡素化することができ製造性の向上並びに低コスト化を図ることができる。
【００４０】
また、本実施形態によれば、本体部内に形成された中空部１１ｃは、支持部１２を収納する収納部として機能させることができる。このような収納部を設けることにより、取り外された支持部１２を紛失することを抑制し、支持部１２を収納するためのスペースを節約することができる。
【００４１】
また、本実施形態によれば、支持脚１２ｆが複数の単位脚部材によって構成されていることにより、支持部１２ｆの長さを調節することができ、本体部１１の高さ位置をブーツＢの筒丈に合わせて適宜変更することができる。
【００４２】
また、本発明に係るブーツ用保持具１０は、オフシーズン時だけではなく、オンシーズン時においても、ブーツＢを型崩れさせることなく形状を保持する器具として有用に使用することができる。倒れやすいロングブーツ等であっても、ブーツ用保持具１０を使用することで、玄関口などに倒立させておくことができる。そのため、ロングブーツの胴筒部が折れ曲がらないように保持し、更に乾燥させておくことができる。
【００４３】
＜実施形態２＞
図５は、実施形態２に係るブーツ用保持具の斜視図であり、先の実施形態の支持部１２とは異なる形状の支持部１３を備えている。なお、同実施形態において、先の実施形態と基本的に同一の構成要素については、同一の符号を付してその説明を簡略化する。
【００４４】
この実施形態に係るブーツ用保持具の支持部１３は、図５に示すように、本体部１１の筒状部１１ａに嵌り込む環状部１３ａと、前記環状部１３ａの下部に一体に設けられる四本の支持脚１３ｆと、を備えている。
【００４５】
環状部１３ａは、図５の（ａ）に示すように、本体部１１の下部に設けられた筒状部１１ｂに嵌合されるよう形成されており、この環状部１３ａに筒状部１１ａを嵌め合わせるだけで、本体部１１を支持することが可能となっている。また、図５においては、環状部１３ａが筒状部１１ａの外周に嵌り込んでいる様子が示されているが、内周に嵌り込むよう環状部１３ａを小径に形成しても良い。
【００４６】
支持脚１３ｆは棒状に形成され、環状部１３ａの下部に一体に設けられており、この支持脚１３ｆは本体部１１の軸方向から径方向の外側に向けて傾斜した方向に突出し、放射状に広がるよう設けられている。この支持脚１３ｆの本数は、３本以上であればよく、ブーツＢの重さや形状等によって任意の本数を選択すれば良い。
【００４７】
本実施形態によれば、筒状部１１ａを環状部１３ａに嵌め合わせるだけの簡易な作業で組み立てることができ、さらに、環状部１３ａが筒状部１１ａの周囲全面を支えることによって、ブーツＢを倒立させたときの安定性を向上させることができる。
【００４８】
＜実施形態３＞
図６は、実施形態３に係るブーツ用保持具の斜視図であり、先の実施形態の支持部とは異なる支持部１４と、取付手段２１を備えている。この取付手段２１には、本体部１１と支持部１４を着脱可能に結合するネジ結合手段が採用されている。なお、同実施形態において、先の実施形態と基本的に同一の構成要素については、同一の符号を付してその説明を簡略化する。
【００４９】
この実施形態に係るブーツ用保持具の支持部１４は、図６の（ａ）に示すように、棒状に形成された支持脚１４ｆを備えている。この支持脚１４ｆの上端にはネジ棒１４ａが設けられており、このネジ棒１４ａが本体部１１に設けられたネジ孔１１ｄと螺合されることによって、支持脚１４ｆは本体部１１に取り付けられる。このネジ孔１１ｄは、図６の（ｂ）に示すように、本体部１１の軸方向から径方向の外側に角度を持って設けられており、支持脚１４ｆは本体部１１の軸方向から外側に向けて傾斜した方向に突出して放射状に広がるよう構成されている。
【００５０】
本実施形態によれば、本体部１１と支持脚１４ｆがネジ結合手段により取付けられるため、より強固に取付けることができる。また、支持脚１４ｆにネジ棒１４ａを設けることで、ボルト等の他の部材を使用する必要がなく、支持脚１４ｆ自体を回すことで本体部１１に取り付けることができる。そのため、使用部材の削減と組立作業の簡便化を図ることができる。
【００５１】
＜実施形態４＞
図７は、実施形態４に係るブーツ用保持具の斜視図であり、先の実施形態の支持部とは異なる支持部１５を備えている。なお、同実施形態において、先の実施形態と基本的に同一の構成要素については、同一の符号を付してその説明を簡略化する。
【００５２】
この実施形態に係るブーツ用保持具の支持部１５は、支持脚１５ｆを備えている。この支持脚１５ｆは、図７の（ａ）に示すように、地面に接する長方形状の設置部１５ａと、この設置部１５ａの長さ方向の両端に設けられる立ち上がり部１５ｂと、この立ち上り部１５ｂの上部に設けられ、ボルトが挿通される貫通孔１５ｃと、を有しており、本体部１１の下部に設けられるネジ孔１１ｂに螺合されるボルトによって、本体部１１の下部に圧接されて固定される。また、図７においては、２つの支持脚１５ｆを並行に並べて本体部１１に取付けられているが、支持脚１５ｆの個数はいくつでも良く、また、クロスさせて取付けても良い。
【００５３】
本実施形態によれば、支持脚１５ｆに設置面１５ａを設けることにより、地面と接する面積を大きく形成することで、ブーツＢ装着時の安定性を向上させることができる。
【００５４】
＜実施形態５＞
図８は、実施形態５に係るブーツ用保持具の斜視図であり、先の実施形態の支持部とは異なる支持部１６を備えている。なお、同実施形態において、先の実施形態と基本的に同一の構成要素については、同一の符号を付してその説明を簡略化する。
【００５５】
この実施形態に係るブーツ用保持具の支持部１６は一対の刺股状の支持脚１６ｆ、１６ｆにより構成されている。図８の（ａ）に示すように、各支持脚１６ｆは、板状部１６ａと、この板状部１６ａの上部に設けられる円弧状部１６ｂと、この円弧状部１６ｂに設けられ、ボルトが挿通される貫通孔１６ｃと、を有している。この円弧状部１６ｂは、本体部１１の外径に沿うよう、本体部１１と同様の曲率を有している。各支持脚１６ｆは、実施形態４と同様に、本体部１１の下部に設けられるネジ孔に螺合されるボルトによって、本体部１１の下部に圧接されて固定される。
【００５６】
＜実施形態６＞
図９は、実施形態６に係るブーツ用保持具の斜視図であり、先の実施形態の支持部とは異なる支持部１７を備えている。なお、同実施形態において、先の実施形態と基本的に同一の構成要素については、同一の符号を付してその説明を簡略化する。
【００５７】
この実施形態に係るブーツ用保持具の支持部１７は、図９の（ａ）に示すように、４本の支持脚１７ｆを備えている。各支持脚１７ｆは棒状に形成され、棒状に形成された立ち上がり部１７ａと、筒状部１１ｂの表面に面接触させる上端取付部１７ｂと、この上端取付部１７ｂに設けられ、ボルトが挿通される貫通孔１７ｃと、を有している。この支持脚１７ｆは、実施形態４及び実施形態５と同様に、本体部１１の下部に設けられるネジ孔１１ｂに螺合されるボルトによって、本体部１１の下部に圧接されて固定される。
【００５８】
＜実施形態７＞
図１０は、実施形態７に係るブーツ用保持具の斜視図であり、先の実施形態の支持部とは異なる支持部１８を備えている。なお、同実施形態において、先の実施形態と基本的に同一の構成要素については、同一の符号を付してその説明を簡略化する。
【００５９】
この実施形態に係るブーツ用保持具の支持部１８は、４本の支持脚１８ｆを備えている。各支持脚１８ｆは、図１０の（ａ）に示すように、地面と接する方形状の設置面１８ａと、設置面１８ａの一端に設けられる立ち上がり部１８ｂと、この立ち上り部１８ｂの上部に設けられ、ボルトが挿通される貫通孔１８ｃと、を有している。この支持脚１８ｆは、実施形態４〜６と同様に、本体部１１の下部に設けられるネジ孔１１ｂに螺合されるボルトによって、本体部１１の下部に圧接されて固定される。
【００６０】
＜実施形態８＞
図１１は、実施形態８に係るブーツ用保持具の斜視図であり、先の実施形態の取付手段２０、２１の代わりに位置決め手段２２が備えられている。なお、同実施形態において、先の実施形態と基本的に同一の構成要素については、同一の符号を付してその説明を簡略化する。
【００６１】
この実施形態に係るブーツ用保持具は、図１１に示すように、本体部１１と、この本体部１１の下部に位置決め手段２２が設けられている。この位置決め手段２２は、長方形状に形成された支持脚２２ｆと、本体部１１と支持脚２２ｆとの間に設けられる回動機構２２ｍと、を有しており、支持脚２２ｆの一端部を軸にして回動させることで、本体部内に収納される収納位置Ｐ１と、支持脚２２ｆで本体部１１を支持する突出位置Ｐ２とに、位置決め可能なよう構成されている。
【００６２】
本実施形態によれば、支持脚２２ｆが本体部１１に接続されているために、支持脚２２ｆを取り外す必要がない。そのため、支持脚２２ｆを紛失することを防ぎ、収納スペースを節約することができる。
【００６３】
＜実施形態９＞
図１２は、実施形態９に係るブーツ用保持具の斜視図であり、先の実施形態の取付手段２０、２１の代わりに位置決め手段２３が備えられている。なお、同実施形態において、先の実施形態と基本的に同一の構成要素については、同一の符号を付してその説明を簡略化する。
【００６４】
この実施形態に係るブーツ用保持具は、図１２に示すように、下部に収納部１１ｅを有する円柱形状の本体部１１と、位置決め手段２３と、を備えている。
【００６５】
この位置決め手段２３は、断面円形の棒状に形成された支持脚２３ｆと、本体部１１と支持脚２３ｆとの間に設けられる摺動機構２３ｍと、を有し、この摺動機構２３ｍは円柱形状の弾性材料で形成され、支持脚２３ｆが挿通される挿通孔２３ｈが設けられている。この挿通孔２３ｈは、支持脚２３ｆの径と同等の大きさに設けられており、支持脚２３ｆは引き出された位置に締め付けられることで固定される。
また、支持脚２３ｆの上端には、挿通孔２３ａより大径に形成されたストッパー２３ｓが設けられており、挿通孔２３ａから支持脚２３ｆが脱落することを防いでいる。
【００６６】
＜実施形態１０＞
図１３は、実施形態１０に係るブーツ用保持具の斜視図であり、先の実施形態の本体部１１に長さ調節手段２４が備えられている。なお、同実施形態において、先の実施形態と基本的に同一の構成要素については、同一の符号を付してその説明を簡略化する。
【００６７】
長さ調節手段２４は、本体部１１が複数の筒状部材から構成されており、例えば、図１３に示すように、外筒１１ｆと、内筒１１ｇと、第２の内筒１１ｈとの３つから構成され、外筒１１ｆ内に内筒１１ｇが、内筒１１ｇ内に第２に内筒１１ｈがそれぞれ挿入されている。
【００６８】
上記各筒状部材１１ｆ〜１１ｈは、図１３に示すように、上方向にテーパーが設けられ、上方の径よりも下方の径の方が大きく形成されている。そのため、内筒１１ｇは、外筒１１ｆよりも全体として小径に形成されているが、上述のテーパーが設けられていることによって、内筒１１ｇの下端の径は、外筒１１ｆの上端の径よりも大きく形成されているため、上方向に抜けてしまうことがない。
【００６９】
そのため、本実施形態の使用時には、図１３（ａ）に示すように、外筒１１ｆの上端部の内側と内筒１１ｇの下端部の外側とが、そして、内筒１１ｇの上端部の内側と第２の内筒１１ｈの下端部の外側とが、それぞれ圧接されることで固定される。また、図示はしていないが、各筒状部材１１ｆ〜１１ｈに突起部や、この突起部が嵌挿される挿通孔等を設けることで、各筒状部材同士をより強固に固定するよう構成しても良い。
【００７０】
本実施形態によれば、本体部１１が複数の筒状部材１１ｆ〜１１ｈによって構成されることによって、使用者の望む長さに変更することができ、様々な長さのブーツＢに適応することができる。
【００７１】
また、本実施形態によれば、オフシーズン時、もしくは、持ち運び時にブーツ保持具１０を小型化することができ、不使用時には収納に場所をとることがなく、さらに、容易に持ち運ぶことができる。
【００７２】
また、本実施形態によれば、本体部１１を複数の筒状部材１１ｆ〜１１ｈにより構成することで、本体部および長さ調節機構の構造をより簡素に形成することができ、製造性の向上並びに低コスト化を図ることができる。
【符号の説明】
【００７３】
１０            ブーツ用保持具
１１            本体部
１１ａ          表面
１１ｂ          筒状部（凸部）
１１ｃ          中空部
１１ｄ          ネジ孔
１１ｅ          収納部
１１ｆ          外筒
１１ｇ          内筒
１１ｈ          第２の内筒
１２〜１８      支持部
１２ｆ〜１８ｆ  支持脚
１２ａ          スリット（凹部）
１３ａ          環状部
１４ａ          ネジ棒
１５ａ          設置部
１５ｂ          立ち上がり部
１５ｃ          貫通孔
１６ａ          円弧状部
１６ｂ          支持板
１６ｃ          貫通孔
１７ａ          立ち上がり部
１７ｂ          上端取付部
１７ｃ          貫通孔
１８ａ          設置部
１８ｂ          立ち上がり部
１８ｃ          貫通孔
２０、２１      取付手段
２２、２３      位置決め手段
２２ｆ、２３ｆ  支持脚
２２ｍ          回動機構
２３ｍ          摺動機構
２３ｈ          貫通孔
２３ｓ          ストッパー
２４            長さ調節機構
３０            収納箱
Ｐ１            収納位置
Ｐ２            突出位置
【要約】
【課題】シワや型崩れを抑制しながら、容易にブーツを乾燥させることができ、さらに、その形状を保持したまま簡単に箱等に収納することができるブーツ用保持具を提供する。
【解決手段】ブーツ内に挿入されて、ブーツの形状を保持するための表面を有する本体部と、前記本体部に着脱可能に設けられて、前記本体部を支持するための支持部と、を備えることを特徴とする、ブーツ用保持具を提供する。
【選択図】図１【図１】
0005828418.tif 000002
【図２】
0005828418.tif 000003
【図３】
0005828418.tif 000004
【図４】
0005828418.tif 000005
【図５】
0005828418.tif 000006
【図６】
0005828418.tif 000007
【図７】
0005828418.tif 000008
【図８】
0005828418.tif 000009
【図９】
0005828418.tif 000010
【図１０】
0005828418.tif 000011
【図１１】
0005828418.tif 000012
【図１２】
0005828418.tif 000013
【図１３】
0005828418.tif 000014
【図１４】
0005828418.tif 000015